(57)【要約】【課題】異物が挟まる事態を招来することなく羽根板の開き角度を制限することができ、かつ軸支持部に対する羽根板の形状を任意に設定すること。【解決手段】軸支持部３１２を有した２枚の羽根板３１を備え、互いに端面３１３を対向して並設した軸支持部３１２の間にヒンジ軸３２を配設することにより、ヒンジ軸３２を中心として羽根板３１を相対的に回転可能に支持したヒンジ装置３０において、互いに並設した軸支持部３１２の端面３１３には、羽根板３１が相対回転した場合の同一の円周上を含む位置に当接部３１４，３１５を設け、一方の軸支持部３１２に設けた当接部３１４と他方の軸支持部３１２に設けた当接部３１５とを当接させることによって２枚の羽根板３１の開き角度を制限するようにした。【選択図】図２
2015224487.tif 000002
【特許請求の範囲】
【請求項１】
軸支持部を有した複数の羽根板を備え、互いに端面を対向して並設した軸支持部の間にヒンジ軸を配設することにより、前記ヒンジ軸を中心として前記複数の羽根板を相対的に回転可能に支持したヒンジ装置において、
互いに並設した軸支持部のそれぞれの端面には、前記複数の羽根板が相対回転した場合の同一の円周上を含む位置に当接部を設け、一方の軸支持部に設けた当接部と他方の軸支持部に設けた当接部とを当接させることによって前記複数の羽根板の開き角度を制限することを特徴とするヒンジ装置。
【請求項２】
前記当接部は、前記軸支持部の端面に一体に形成したものであることを特徴とする請求項１に記載のヒンジ装置。
【請求項３】
一方の軸支持部の端面に当接ピンを立設することによって前記当接部を構成するとともに、他方の軸支持部の端面に前記当接ピンを収容する円弧状の収容溝が開口するように前記当接部を構成し、前記収容溝の円弧端に位置する内壁面に前記当接ピンを当接させることを特徴とする請求項１に記載にヒンジ装置。
【請求項４】
一方の軸支持部の端面に円弧状のカラー部材を固定することによって前記当接部を構成するとともに、他方の軸支持部の端面に突起を設けることによって前記当接部を構成し、前記カラー部材の円弧端面に前記突起を当接させることを特徴とする請求項１に記載のヒンジ装置。
【請求項５】
前記カラー部材の端面及び前記一方の軸支持部の端面にそれぞれ放射状の凹凸溝を形成し、前記凹凸溝を介して前記カラー部材を前記軸支持部に歯合させたことを特徴とする請求項４に記載のヒンジ装置。
【請求項６】
前記カラー部材は、前記凹凸溝に沿って折り曲げた場合に破断するように構成したことを特徴とする請求項５に記載のヒンジ装置。
【請求項７】
請求項１〜請求項６のいずれか一つに記載のヒンジ装置を適用して面材を枠体に支持させたことを特徴とする建具。
【発明の詳細な説明】
【技術分野】
【０００１】
本発明は、ヒンジ装置及び建具に関するものである。
【背景技術】
【０００２】
ドア等のように枠体に対して面材を開閉可能に支持する建具では、枠体と面材との間にヒンジ装置が適用されている。ヒンジ装置は、ヒンジ軸を介して相対的に回転可能となるように連結された２枚の羽根板を備えたものである。２枚の羽根板は、それぞれ一方の縁部に円柱状の軸支持部を有したもので、互いに並設した軸支持部の間にヒンジ軸を配設することにより、ヒンジ軸を中心として回転することが可能である。このヒンジ装置では、一方の羽根板を枠体に取り付け、他方の羽根板を面材に取り付ければ、枠体に対して面材がヒンジ軸を中心に相対的に回転可能に支持されることになる。
【０００３】
この種のヒンジ装置には、羽根板の開き角度を制限するように構成したものも提供されている（例えば、特許文献１及び特許文献２参照）。すなわち、並設した軸支持部の間に２つの当接部を有したカラー部材を配設し、カラー部材の２つの当接部を羽根板に当接させることによって羽根板の開き角度を制限するものである。こうしたヒンジ装置によれば、床や壁に戸当たりを設ける必要がないため、戸当たりを設けるスペースが確保できない建具に対しても面材の開き角度を制限することが可能となる。
【先行技術文献】
【特許文献】
【０００４】
【特許文献１】実開昭６０−８２０７８号公報
【特許文献２】実開昭６１−１８４０７４号公報
【発明の概要】
【発明が解決しようとする課題】
【０００５】
ところで、上述のヒンジ装置は、羽根板とカラー部材との当接部位が外部に露出する構成とならざるを得ない。このため、周囲に異物が存在する場合には、羽根板とカラー部材との間に異物が挟まれるおそれがある。また、軸支持部の間に配設したカラー部材に対して２枚の羽根板が当接する構成であるため、２枚の羽根板がそれぞれ軸支持部の端面を超えた形状でなければ、開き角度を制限することができないという形状上の制約もある。
【０００６】
本発明は、上記実情に鑑みて、異物が挟まる事態を招来することなく羽根板の開き角度を制限することができ、かつ軸支持部に対する羽根板の形状を任意に設定することのできるヒンジ装置及び建具を提供することを目的とする。
【課題を解決するための手段】
【０００７】
上記目的を達成するため、本発明に係るヒンジ装置は、軸支持部を有した複数の羽根板を備え、互いに端面を対向して並設した軸支持部の間にヒンジ軸を配設することにより、前記ヒンジ軸を中心として前記複数の羽根板を相対的に回転可能に支持したヒンジ装置において、互いに並設した軸支持部のそれぞれの端面には、前記複数の羽根板が相対回転した場合の同一の円周上を含む位置に当接部を設け、一方の軸支持部に設けた当接部と他方の軸支持部に設けた当接部とを当接させることによって前記複数の羽根板の開き角度を制限することを特徴とする。
【０００８】
この発明によれば、軸支持部の端面に設けた当接部を当接させることによって羽根板の開き角度を制限するようにしているため、羽根板の形状に制約が加えられることもなく、周囲に異物が存在する状態で羽根板を相対回転させた場合にも異物が挟まれる事態を招来するおそれがない。
【０００９】
また本発明は、上述したヒンジ装置において、前記当接部は、前記軸支持部の端面に一体に形成したものであることを特徴とする。
【００１０】
この発明によれば、部品点数を増加させることなく羽根板の開き角度を制限することが可能となる。
【００１１】
また本発明は、上述したヒンジ装置において、一方の軸支持部の端面に当接ピンを立設することによって前記当接部を構成するとともに、他方の軸支持部の端面に前記当接ピンを収容する円弧状の収容溝が開口するように前記当接部を構成し、前記収容溝の円弧端に位置する内壁面に前記当接ピンを当接させることを特徴とする。
【００１２】
この発明によれば、一方の軸支持部の端面に設けた当接ピンが他方の軸支持部の端面に設けた当接部の収容溝に収容されるため、軸支持部の相互間に異物が進入する隙間をなくすことができる。
【００１３】
また本発明は、上述したヒンジ装置において、一方の軸支持部の端面に円弧状のカラー部材を固定することによって前記当接部を構成するとともに、他方の軸支持部の端面に突起を設けることによって前記当接部を構成し、前記カラー部材の円弧端面に前記突起を当接させることを特徴とする。
【００１４】
この発明によれば、カラー部材の位置を変更することで羽根板の開き角度を制限する位置を変更することが可能となる。
【００１５】
また本発明は、上述したヒンジ装置において、前記カラー部材の端面及び前記一方の軸支持部の端面にそれぞれ放射状の凹凸溝を形成し、前記凹凸溝を介して前記カラー部材を前記軸支持部に歯合させたことを特徴とする。
【００１６】
この発明によれば、凹凸溝を介してカラー部材が軸支持部の端面に歯合しているため、他方の軸支持部の端面に設けた突起がカラー部材の円弧端面に当接した場合にもカラー部材に位置ずれが生じるおそれがなくなる。
【００１７】
また本発明は、上述したヒンジ装置において、前記カラー部材は、前記凹凸溝に沿って折り曲げた場合に破断するように構成したことを特徴とする。
【００１８】
この発明によれば、カラー部材を折り曲げて破断することにより、羽根板の開き角度を制限する位置を変更することが可能となる。
【００１９】
また本発明に係る建具は、上述したヒンジ装置のいずれかを適用して面材を枠体に支持させたことを特徴とする。
【００２０】
この発明によれば、軸支持部の端面に設けた当接部を当接させることによって羽根板の開き角度を制限するようにしているため、羽根板の形状に制約が加えられることもなく、周囲に異物が存在する状態で羽根板を相対回転させた場合にも異物が挟まれる事態を招来するおそれがない。
【発明の効果】
【００２１】
本発明によれば、軸支持部の端面に設けた当接部を当接させることによって羽根板の開き角度を制限するようにしているため、羽根板の形状に制約が加えられることがなく、任意形状の羽根板を有したヒンジ装置を構成することが可能となる。しかも、軸支持部の端面に設けた当接部が互いに当接する構成であるため、周囲に異物が存在する状態で羽根板を相対回転させた場合にも、当接部の相互間に異物が挟まれる事態を招来するおそれがない。
【図面の簡単な説明】
【００２２】
【図１−１】図１−１は、本発明の実施の形態１であるヒンジ装置を適用した建具の正面図である。
【図１−２】図１−２は、図１−１に示した建具の面材を開いた状態の要部斜視図である。
【図２】図２は、図１−１に示した建具に適用するヒンジ装置の分解斜視図である。
【図３−１】図３−１は、図２に示したヒンジ装置の分解側面図である。
【図３−２】図３−２は、図２に示したヒンジ装置の側面一部破断図である。
【図４】図４は、図２に示したヒンジ装置のヒンジ軸及びその周囲を示すもので、（ａ）は羽根板の基板部が互いに同じ方向を向いた状態の平面図、（ｂ）は羽根板がわずかに相対回転した状態の平面図、（ｃ）は羽根板の基板部が互いに９０°開いた状態の平面図である。
【図５】図５は、本発明の実施の形態２であるヒンジ装置の分解斜視図である。
【図６】図６は、図５に示したヒンジ装置のヒンジ軸及びその周囲を示すもので、（ａ）は羽根板の基板部が互いに同じ方向を向いた状態の平面図、（ｂ）は羽根板がわずかに相対回転した状態の平面図、（ｃ）は羽根板の基板部が互いに９０°開いた状態の平面図である。
【図７】図７は、本発明の実施の形態３であるヒンジ装置の分解斜視図である。
【図８】図８は、図７に示したヒンジ装置のヒンジ軸及びその周囲を示すもので、（ａ）は羽根板の軸支持部とカラー部材との第１の配置状態を示す平面図、（ｂ）は羽根板の軸支持部に対してカラー部材を回転させた第２の配置状態を示す平面図、（ｃ）はカラー部材の円弧端部を破断した後の羽根板の軸支持部とカラー部材との第３の配置状態を示す平面図である。
【発明を実施するための形態】
【００２３】
以下、添付図面を参照しながら本発明に係るヒンジ装置及び建具の好適な実施の形態について詳細に説明する。
【００２４】
（実施の形態１）
図１−１及び図１−２は、本発明の実施の形態１であるヒンジ装置を適用したドアを示したものである。ここで例示するドアは、例えば、室内において部屋を仕切る壁Ｗに設けた出入口Ｅを開閉するもので、枠体１０及びドアパネル（面材）２０を備えている。枠体１０は、出入口Ｅの四周に沿って上枠１１、下枠１２及び左右の縦枠１３を配設することによって矩形状の枠開口１４を構成するものである。ドアパネル２０は、枠体１０の枠開口１４を塞ぐことのできる大きさに形成した矩形状の面材である。このドアパネル２０は、吊元側の見込み面と枠体１０の一方の縦枠１３との間の複数箇所にそれぞれヒンジ装置３０を介在させることにより、上下方向に沿って設定される軸心を中心として回転可能となるように枠体１０に支持してある。
【００２５】
ヒンジ装置３０は、図２〜図３−２に示すように、上下２枚の羽根板３１とヒンジ軸３２とを備えて構成してある。羽根板３１は、それぞれ矩形の平板状を成す基板部３１１と、基板部３１１の一側縁に設けた軸支持部３１２とを金属により一体に成形したものである。基板部３１１は、図１−２に示すように、ドアパネル２０もしくは縦枠１３に取り付けられる部分である。基板部３１１には、図２〜図３−２に示すように、ネジを挿通するためのネジ挿通孔３１１ａが適宜箇所に複数個設けてある。軸支持部３１２は、基板部３１１と同じ高さを有した円柱状を成すものである。下方に配置される羽根板（以下、区別する場合に「下方羽根板３１」という）の軸支持部３１２には軸嵌着孔３１２ａが設けてあり、上方に配置される羽根板（以下、区別する場合に「上方羽根板３１」という）の軸支持部３１２には軸挿通孔３１２ｂが設けてある。軸嵌着孔３１２ａ及び軸挿通孔３１２ｂは、軸支持部３１２の中心部分に設けた断面が円形の孔であり、それぞれの軸支持部３１２の一方の端面３１３にのみ開口している。軸嵌着孔３１２ａは、軸挿通孔３１２ｂよりも小さい内径を有するように形成してある。ヒンジ軸３２は、軸嵌着孔３１２ａに嵌合することのできる外径を有した円柱状を成すものである。このヒンジ軸３２は、一方の端部が下方羽根板３１の軸嵌着孔３１２ａに装着することによって軸支持部３１２に固定され、かつ他方の端部が上方羽根板３１の軸挿通孔３１２ｂに摺動可能に挿入してある。
【００２６】
また、下方羽根板３１の軸支持部３１２には、ヒンジ軸３２が突出する端面３１３に下方当接部３１４が設けてあり、上方羽根板３１の軸支持部３１２には、軸挿通孔３１２ｂが開口する端面３１３に上方当接部３１５が設けてある。下方当接部３１４及び上方当接部３１５は、軸支持部３１２の軸心を中心とした弧状の突出部であり、軸支持部３１２と同一の外径を有し、かつそれぞれの軸支持部３１２と一体に成形してある。
【００２７】
これら下方当接部３１４及び上方当接部３１５は、基板部３１１を基準として特定の位置に特定の長さをもって形成してある。例えば、ドアパネル２０の開き角度を９０°に制限するヒンジ装置３０では、図４の（ａ）に示すように、ヒンジ軸３２に対して下方羽根板３１の基板部３１１と上方羽根板３１の基板部３１１とが同じ方向に向いた状態に配置された場合に、互いに離隔して配置されるように下方当接部３１４と上方当接部３１５とが構成してある。特に、図４に示すヒンジ装置３０では、下方当接部３１４及び上方当接部３１５がそれぞれ４５°の中心角を有するように構成してあり、ヒンジ軸３２に対して下方羽根板３１の基板部３１１と上方羽根板３１の基板部３１１とが同じ方向に向いた状態に配置された場合、下方当接部３１４と上方当接部３１５とが１８０°ずれた位置に配置されるように構成してある。
【００２８】
上記のように構成したヒンジ装置３０では、図４の（ｂ）に示すように、ヒンジ軸３２を中心として下方羽根板３１と上方羽根板３１とを相対的に回転させると、図４の（ｃ）に示すように、基板部３１１の開き角度が９０°となった時点で、同一の円周上に配置された下方当接部３１４と上方当接部３１５とが互いに当接し、それ以降の相対回転が阻止される。従って、このヒンジ装置３０を適用したドアによれば、床や壁に戸当たりを設けることなくドアパネル２０の開き角度を制限することが可能となる。しかも、軸支持部３１２の端面３１３に設けた下方当接部３１４及び上方当接部３１５が互いに当接する構成であるため、周囲に異物が存在する状態で下方羽根板３１と上方羽根板３１とを相対回転させた場合にも、下方当接部３１４及び上方当接部３１５の相互間に異物が挟まれる事態を招来するおそれがない。
【００２９】
（実施の形態２）
図５及び図６は、本発明の実施の形態２であるヒンジ装置１３０を示したものである。ここで例示するヒンジ装置１３０は、実施の形態１と同様のドアに適用するもので、実施の形態１とはそれぞれの羽根板に設ける当接部の構成のみが異なっている。尚、実施の形態２において実施の形態１と同様の構成については、同一の符号を付してそれぞれの詳細説明を省略する。
【００３０】
図からも明らかなように、実施の形態２のヒンジ装置１３０では、上方羽根板３１の軸支持部３１２において軸挿通孔３１２ｂが開口する端面３１３に当接ピン３１６が設けてあり、下方羽根板３１の軸支持部３１２においてヒンジ軸３２が突出する端面３１３に下方当接部３１７が設けてある。当接ピン３１６は、細径の円柱状部材であり、軸支持部３１２の軸心に沿って配設してある。下方当接部３１７は、軸支持部３１２と同一の外径を有した円柱状部材であり、端面に収容溝３１７ａを有している。収容溝３１７ａは、当接ピン３１６を収容することのできる幅を有し、かつヒンジ軸３２を中心とした円弧状を成すものである。
【００３１】
これら下方当接部３１７の収容溝３１７ａ及び当接ピン３１６は、基板部３１１を基準として特定の位置に特定の長さをもって形成してある。例えば、ドアパネル２０の開き角度を９０°に制限するヒンジ装置１３０では、図６の（ａ）に示すように、ヒンジ軸３２に対して下方羽根板３１の基板部３１１と上方羽根板３１の基板部３１１とが同じ方向に向いた状態に配置された場合に、下方当接部３１７の収容溝３１７ａが、図６の（ａ）において時計の９時の位置から１時の位置までの範囲に開口し、かつ当接ピン３１６が時計の１２時の位置で収容溝３１７ａに収容されるように構成してある。
【００３２】
上記のように構成したヒンジ装置１３０では、図６の（ｂ）に示すように、下方羽根板３１と上方羽根板３１とを相対的に回転させると、図６の（ｃ）に示すように、基板部３１１の開き角度が９０°となった時点で当接ピン３１６が、同一の円周上に位置する収容溝３１７ａの端部内壁面３１７ｂに当接し、それ以降の相対回転が阻止される。従って、このヒンジ装置１３０を適用したドアによれば、床や壁に戸当たりを設けることなくドアパネル２０の開き角度を制限することが可能となる。しかも、軸支持部３１２の端面３１３に設けた下方当接部３１７の収容溝３１７ａに当接ピン３１６を収容させる構成である。従って、軸支持部３１２の相互間に異物が進入し得る隙間をなくすことができ、周囲に異物が存在する状態で下方羽根板３１と上方羽根板３１とを相対回転させた場合にも、下方当接部３１７及び上方当接部３１５の相互間に異物が挟まれる事態を確実に防止することが可能となる。
【００３３】
（実施の形態３）
図７及び図８は、本発明の実施の形態３であるヒンジ装置２３０を示したものである。ここで例示するヒンジ装置２３０は、実施の形態１と同様のドアに適用するもので、実施の形態１とはそれぞれの羽根板３１に設ける当接部の構成のみが異なっている。尚、実施の形態３において実施の形態１と同様の構成については、同一の符号を付してそれぞれの詳細説明を省略する。
【００３４】
図からも明らかなように、実施の形態３のヒンジ装置２３０では、上方羽根板３１の軸支持部３１２において軸挿通孔３１２ｂが開口する端面３１３に上方当接部３１５が設けてあり、下方羽根板３１の軸支持部３１２において軸嵌着孔３１２ａが開口する端面３１３に凹凸溝３１３ａを介して樹脂製のカラー部材３３が配設してある。
【００３５】
上方当接部３１５は、軸支持部３１２の軸心を中心とした弧状の突出部であり、軸支持部３１２と同一の外径を有するように軸支持部３１２と一体に成形してある。下方羽根板３１の軸支持部３１２に設けた凹凸溝３１３ａは、ヒンジ軸３２の中心から放射状に形成した鋸歯状のものである。カラー部材３３は、軸支持部３１２と同一の外径を有するとともに、ヒンジ軸３２を挿通可能とする中心孔３３ａを有した円弧状の板状部材である。このカラー部材３３は、軸支持部３１２の端面３１３に対向する面に放射状の凹凸溝３３ｂを有する一方、もう一方の表面が平坦に形成してある。カラー部材３３の凹凸溝３３ｂは、中心孔から放射状に形成した鋸歯状のものであり、下方羽根板３１の軸支持部３１２に対向させた場合に、軸支持部３１２に設けた凹凸溝３１３ａと歯合することが可能である。また、カラー部材３３の凹凸溝３３ｂは、折り曲げた箇所で破断することができるように形成してある。
【００３６】
上記のように構成したヒンジ装置２３０においても、ヒンジ軸３２に対して下方羽根板３１の基板部３１１と上方羽根板３１の基板部３１１とが同じ方向に向いた状態に配置された場合に、カラー部材３３の切り欠かれた部分に上方当接部３１５が位置するようにそれぞれの位置及び長さを設定すれば、カラー部材３３の円弧端面３３ｃに対して同一の円周上に位置する上方当接部３１５が当接することになる。従って、基板部３１１の開き角度を制限することが可能となり、床や壁に戸当たりを設ける必要がない。しかも、図８の（ｂ）に示すように、下方羽根板３１の軸支持部３１２に対してカラー部材３３を回転させて歯合させたり、図３の（ｃ）に示すように、凹凸溝３３ｂに沿ってカラー部材３３を折り曲げて、任意の中心角を有するように破断させれば、基板部３１１の開き角度を容易に変更することが可能である。さらに、軸支持部３１２の端面３１３に設けたカラー部材３３及び上方当接部３１５が互いに当接する構成であるため、周囲に異物が存在する状態で下方羽根板３１と上方羽根板３１とを相対回転させた場合にも、カラー部材３３及び上方当接部３１５の相互間に異物が挟まれる事態を招来するおそれがない。
【００３７】
尚、上述した実施の形態１〜実施の形態３では、ヒンジ軸３２が上下方向に沿って配置される建具を例示しているが、ヒンジ軸３２が水平方向に沿って配置される建具にも適用することが可能である。
【符号の説明】
【００３８】
１０  枠体、２０  ドアパネル、３０，１３０，２３０  ヒンジ装置、３１  羽根板、３２  ヒンジ軸、３３  カラー部材、３３ｂ，３１３ａ  凹凸溝、３３ｃ  円弧端面、３１２  軸支持部、３１３  軸支持部の端面、３１４  下方当接部、３１５  上方当接部、３１６  当接ピン、３１７  下方当接部、３１７ａ  収容溝
【図１−１】
2015224487.tif 000003
【図１−２】
2015224487.tif 000004
【図２】
2015224487.tif 000005
【図３−１】
2015224487.tif 000006
【図３−２】
2015224487.tif 000007
【図４】
2015224487.tif 000008
【図５】
2015224487.tif 000009
【図６】
2015224487.tif 000010
【図７】
2015224487.tif 000011
【図８】
2015224487.tif 000012